(57)【要約】【課題】通信装置を多数収容した主信号中継網と保守網とを備えた通信網の試験方式に関し，ＩＰ通信網に試験トラヒック負荷を増やすことなく，効率性と信頼性を高めることを目的とする。【解決手段】保守網に主信号中継網に収容された全通信装置のアドレスを含む装置情報を格納した設備管理サーバを設け，設備管理サーバは装置情報を全ての通信装置に通知し，各通信装置はそれぞれ複数のＩＰ電話が接続され，管理サーバから通知された装置情報に基づいた対向装置通信管理テーブルを備え，通信装置において実行される通信をモニタし，その通信実績として格納し，各通信装置に設けた試験回路は，対向装置通信管理テーブルの装置別の通信実績を判別して自律的に試験対象を選択して試験を行うよう構成する。【選択図】図１
2009206845.tif 000002
【特許請求の範囲】
【請求項１】
網に接続した通信装置を多数収容した音声やパケット等の主信号を中継する主信号中継網と該主信号中継網を保守するための保守網とを備えた通信網の試験方式において，
前記保守網に前記主信号中継網に収容された全通信装置のアドレスを含む装置情報を格納した設備管理サーバを設け，前記設備管理サーバは前記装置情報を全ての前記通信装置に通知し，
前記各通信装置は，それぞれ複数のＩＰ電話装置が接続され，前記管理サーバから通知された装置情報に基づいた各対向装置の情報と各対向装置との前記ＩＰ電話装置による通信実績情報を格納するための対向装置通信管理テーブルを備え，該通信装置において実行される通信をモニタして，対向装置別の通信実績として格納し，
前記各通信装置に設けた試験回路は，前記対向装置通信管理テーブルの対向装置別の通信実績を判別して自律的に試験対象となる対向装置を選択して試験を行うことを特徴とする通信網の試験方式。
【請求項２】
請求項１において，
前記保守網に前記主信号中継網に収容された全通信装置による試験を管理する試験管理サーバを設け，
前記試験管理サーバは，各通信端末による自律試験の試験開始時間，試験開始／停止の指示，試験モード，試験周期，試験結果の通知先であるサーバのアドレス等を含む情報を各通信端末に通知し，
各通信端末は前記試験管理サーバからの通知を格納する試験情報テーブルを備え，前記試験回路は前記試験情報テーブルによる試験を実行することを特徴とする通信網の試験方式。
【請求項３】
請求項１において，
前記保守網に主信号網を構成する中継装置や，収容する端末装置からの障害情報や管理情報を収集する経路管理サーバを設け，
前記経路管理サーバは，前記障害情報や管理情報を収集して，中継網の経路変更を検出すると，経路変更による範囲を特定して全通信端末に対して経路変更の情報を通知し，
各通信端末の前記対向装置通信管理テーブルに経路変更を表す情報を設け，前記経路管理サーバからの前記通知を受け取ると該当する対向装置について経路変更の状態を設定し，前記試験回路は経路変更の状態の対向装置について試験を行わないことを特徴とする通信網の試験方式。
【発明の詳細な説明】
【技術分野】
【０００１】
本発明は，通信網の試験方式に関し，特に，通信装置を多数収容した音声やパケット等の主信号を中継する主信号中継網を保守するための保守網とを備えた通信網の試験方式に関する。
【背景技術】
【０００２】
ＩＰ（Internet  Protocol）通信網における電話通信が普及するようになり，高度な信頼性を要求されるようになっているが，大規模なＩＰ通信網においては収容するエッジルータ等の通信装置の数が膨大となり，大規模なＩＰ通信網に対応した通信装置間の保守のための通信試験を効率よく，十分に実施することが望まれている。
【０００３】
すなわち，通信試験において障害を有する端末や通信路の潜在的障害を検出するのが困難な状況となっている。
【０００４】
なお，ルータとサーバからなる通信システムにおいて，試験パケットを用いることで通信路の使用可否を判定する試験方法が知られている（特許文献１参照）。
【０００５】
図１９は背景となる大規模ＩＰ通信網における保守試験の構成を示す図である。
【０００６】
図１９において，ＩＰ通信網は，主信号中継網１００と，保守網２００と，試験サーバ３００と，試験サーバ３００に接続される設備情報ＤＢ３１０と，複数の通信装置７（Ａ，Ｂ，Ｃ）と，各々の通信装置７内にプライベートアドレスをグローバルＩＰアドレスに変換する機能を有するＮＡＴ（Network  Address  Translator）７１（Ａ，Ｂ，Ｃ）と，エッジルータ（以下，単に「ＥＲ」という）７０（Ａ，Ｂ，Ｃ）に接続される複数のＩＰ電話７００（Ａ，Ｂ，Ｃ，Ｄ，Ｅ，Ｆ）を含む構成とする例である。
【０００７】
主信号中継網１００は通信事業者等のＩＰ通信網であり，保守網２００はＩＰ通信網を保守するための保守設備を収容し，各通信装置との保守信号等を送受信するための通信網である。ＥＲ７０は，バックボーン（図１９では主信号中継網１００に該当する）のエッジ（端）に配置されるルータであり，ユーザの回線を収容してバックボーンにつなげる役割を果たす。例えば，具体的には，多くの回線を束ねるため，パケットの高速な中継処理，パケットの優先制御，パケットフィルタリング等の機能を有する。
【０００８】
試験サーバ３００は，ｔｅｌｎｅｔにより保守網２００を介して各通信装置７のＥＲ７０（Ａ，Ｂ，Ｃ）にリモートログインし，通信装置７の仮想端末として試験を実施する。
【０００９】
具体的には，試験サーバ３００からＩＰ通信網で障害を発見するため，ｐｉｎｇ（packet  internet  groper）コマンドをＥＲ７０Ａに送出する。ＥＲ７０Ａはその結果確認を試験サーバ３００に応答し，試験サーバ３００はその応答結果を含む各種試験データを設備情報として設備情報ＤＢ３１０に保存する。
【００１０】
ここで，ｐｉｎｇによる方法は，ＩＣＭＰ（Internet  Control  Message  Protocol）エコー要求メッセージに送出時間を書込んで送り，ＩＣＭＰエコー応答メッセージにこの情報をそのまま載せて送り返させ，受取った時刻と比較すると，送信から応答までにかかった時間がわかる。これにより，途中の経路上に何らかの障害があった場合，この応答時間が長くなるか，または，応答が返ってこない。
【００１１】
そして，試験サーバ３００は，この試験手順によりＥＲ７０Ｂにｐｉｎｇコマンド，ＥＲ７０Ｃにｐｉｎｇコマンドをそれぞれ送出し，その結果応答を試験サーバ３００は待つことになる。以上により，端末数が多い程，その試験確認時間はかかることになり，また，結果的に保守網２００の通信量は増加し，それに伴い主信号中継網１００上にも大量のｐｉｎｇコマンドのための信号が流れるため，本来の音声通信に影響を与えることとなる。
【００１２】
図１９において，ＩＰ通信は常時セッションを必要としないため，通信先全体の情報を認識する必要がなく，また，ＩＰ通信の経路管理は集約されたアドレスによって行われ，個々の通信先装置に対する管理は実施していない。
【００１３】
図１９に示す例の試験方法によれば，通信装置間の試験を実施する場合，装置情報を有している試験サーバ３００が各ＥＲ７０にリモートログインし，ｐｉｎｇコマンド等の試験コマンドを実行することで，ＥＲ７０の全数試験を実施することができる。
【特許文献１】特開２００７−１２４４８６号公報
【発明の開示】
【発明が解決しようとする課題】
【００１４】
しかし，図１９に示す試験方法では端末試験の度にリモートログインし，ｐｉｎｇコマンド等の実施手順を実行し，終了する時にリモートログオフをする必要がある方式では，通信端末数が数百台以上になると，通信端末間の試験を全数実施した場合，保守網トラヒックが膨大となり，試験を短時間で行うことが非常に困難となる。
【００１５】
また，多数の通信装置間での主信号中継網に対する試験トラヒックが増加し，本来の主通信に対する阻害要因となる。
【００１６】
更に，通信装置が保守や障害等で通信できない場合，その保守・障害情報は対向側の通信装置に通知されず，ＩＰ通信の通信失敗はタイムアウトによる応答となるため，試験通信失敗により試験時間がますます長くなるという問題が発生する。
【００１７】
また，ＩＰ通信網では障害発生時に自動的に経路変更が発生した場合，経路変更は末端の通信装置にしか通知されない。末端の通信装置で通信端末間の通信実績を管理しても，中継網の経路切替が発生した場合，その通信実績を無効とすることができず，新しい経路を試験対象として認識することができない。
【００１８】
更に，上記特許文献１の発明も，上記図１９に示す試験方法と同様の問題を備えるものである。
【００１９】
本発明は，通信装置を多数収容した音声やパケット等の主信号を中継する主信号中継網と通信装置を保守するための保守網とを備えた通信網に対し試験トラヒック負荷を増やすことなく，効率性と信頼性を高めることができる通信網の試験方式を提供することを目的とする。
【課題を解決するための手段】
【００２０】
本通信網の試験方式は，網に接続した通信装置を多数収容した音声やパケット等の主信号を中継する主信号中継網と該主信号中継網を保守するための保守網とを備えた通信網において，前記保守網に前記主信号中継網に収容された全通信装置のアドレスを含む装置情報を格納した設備管理サーバを設け，設備管理サーバは装置情報を全ての通信装置に通知する。各通信装置は，それぞれ複数のＩＰ電話装置が接続され，管理サーバから通知された装置情報に基づいた各対向装置の情報と各対向装置とのＩＰ電話装置による通信実績情報を格納するための対向装置通信管理テーブルを備える。各通信装置において実行される通信はモニタされ，対向装置別の通信実績としてテーブルに格納される。各通信装置に設けた試験回路は，対向装置通信管理テーブルの対向装置別の通信実績を判別して自律的に試験対象となる対向装置を選択して試験を行う。
【００２１】
好ましくは，本通信網の試験方式において，保守網に主信号中継網に収容された全通信装置による試験を管理する試験管理サーバを設け，試験管理サーバは，各通信端末による自律試験の試験開始時間，試験開始／停止の指示，試験モード，試験周期，試験結果の通知先であるサーバのアドレス等を含む情報を各通信端末に通知し，各通信端末は試験管理サーバからの通知を格納する試験情報テーブルを備え，試験回路はその試験情報テーブルによる試験を実行する。
【００２２】
好ましくは，本通信網の試験方式において，保守網に主信号網を構成する中継装置や，収容する端末装置からの障害情報や管理情報を収集する経路管理サーバを設ける。経路管理サーバは，障害情報や管理情報を収集して，中継網の経路変更を検出すると，経路変更による範囲を特定して全通信端末に対して経路変更の情報を通知し，各通信端末の対向装置通信管理テーブルに経路変更を表す情報を設け，前記経路管理サーバからの前記通知を受け取ると該当する対向装置について経路変更の状態を設定し，試験回路は経路変更の状態である対向装置について試験を行わないようにする。
【発明の効果】
【００２３】
本発明に係る通信網の試験方式により，ＩＰ通信網とＩＰ通信網を介して接続された通信装置を保守するための保守網において，効率的に試験対象となる通信装置を絞り込むことが可能となる。これにより，試験負荷による主信号中継網トラヒックと保守網トラヒックを増加させることなく，小規模網でのみ可能であった端末間の常時全経路試験が可能となる。また，全経路の疎通確認を行うことで多くの障害ポイントを抽出し，その傾向より的確な障害発生箇所の特定と影響範囲の確認をすることができ，障害の早期検出と潜在的障害の検出が可能となる。
【発明を実施するための最良の形態】
【００２４】
図１は本発明に係る通信網の試験方式の基本構成を示す概要構成図である。図中，１は音声やパケット等の主信号を中継する主信号中継網，２は主信号中継網に接続された通信装置を保守する保守網，３は主信号中継網に接続された通信装置等の設備を管理するための保守網に接続された設備管理サーバ，４（４Ａ，４Ｂ，４Ｃを代表）は主信号中継網１に接続されて主信号を送受信すると共に保守網２にも接続された複数の通信装置，４０（４０Ａ〜４０Ｃを代表）はＮＡＴ，４１（４１Ａ，４１Ｂ，４１Ｃを代表）は対向装置通信管理テーブル，４２（４２Ａ，４２Ｂ，４２Ｃを代表）は試験回路，５（５Ａ，５Ｂ，５Ｃを代表）は各通信装置４に接続された多数のＩＰ電話（ＩＰ電話機）である。なお，ＩＰ通信を行うための主信号中継網１と各通信装置４とでＩＰ通信網という。また，主信号中継網１と保守網２及び各通信装置網４を合わせて主信号アクセス網と呼ぶ場合がある。
【００２５】
設備管理サーバ３は，全ての通信装置４を管理するための設備情報データベース３０（図１では単に「設備情報ＤＢ」で表す）を備え，設備情報データベース３０（以下，単に設備情報ＤＢ３０という）には各通信装置４の設備状態の管理や主信号中継網１や各通信装置４の試験状態の管理，主信号中継網の系や経路等の経路管理等に関する情報が記憶される。設備管理サーバ３は，好ましくは，機能に対応した複数のサーバで構成することができる（図２参照）。
【００２６】
通信装置４は，自装置内のＮＡＴ４０と，対向装置通信管理テーブル４１と，試験回路４２とを備え，端末として複数のＩＰ電話５が接続されている。
【００２７】
ＮＡＴ４０は，配下の通信端末（図１の例ではＩＰ電話５）の持つＩＰアドレスをＮＡＴ４０毎に割り当てされたグローバルＩＰアドレスに変換し，それぞれの通信端末をポート番号として管理する。例えば，ＩＰ通信網において，ＩＰ電話の音声信号は，ＩＰ電話５からのＩＰ信号を通信装置４にて受け，ＮＡＴ４０によりＩＰアドレス変換を行った上，主信号中継網１に中継する。従って，主信号中継網１内は，ＮＡＴ４０毎に割り当てられたグローバルＩＰアドレスで通信が行われる。
【００２８】
対向装置通信管理テーブル４１は，通信装置４が設備管理サーバ３から保守網２を介して受信した対向装置（他の通信装置４）の装置情報と，当該通信装置４が自装置と各対向装置との通信をモニタし，そのモニタした内容による通信実績情報（送信，受信の時間情報）を対向装置別に格納し，それら情報を管理するための格納・管理手段である。なお，通信実績情報である時間情報は，タイムスタンプ情報と呼ばれる。
【００２９】
通信装置４は，対向装置通信管理テーブル４１の対向装置別の通信実績の判別結果から，自律的に試験回路４２に対して試験対象となる対向装置を選択して試験を行う。
【００３０】
設備管理サーバ３は，全ての通信装置４の設備情報を有しており，設備管理サーバ３から全ての通信装置４に対して，全通信装置情報の通知を行う。全通信装置情報を通知された各通信装置４では，内部に備えられている対向装置通信管理テーブル４１において，その全通信装置情報の記録・更新等の格納・管理を行う。また，通信装置４では，自装置経由のパケット通信のヘッダ情報（例えば，ＩＰヘッダ・ＴＣＰヘッダ情報）やメッセージ情報（例えば，ＩＣＭＰメッセージ）をモニタすることで，対向装置通信管理テーブル４１にプロトコル別の種別・宛先ＩＰアドレス等を対向装置単位にその通信実績を記録することができる。
【００３１】
以上により，通信装置４は，自装置経由の通信をモニタすることにより，対向装置単位に通信を認識することができる。また，その通信実績は，通信が確認されたタイムスタンプ情報として，対向装置単位に装置情報（ＩＰアドレス，エリア情報等）と共に対向装置通信管理テーブル４１上に格納されて管理される。通信装置４は，周期的に対向装置通信管理テーブル４１を読み出すことにより，一定期間以上の通信実績が無い対向装置を選択することができ，通信装置４に備えられた試験回路４２は，前記通信実績が無い対向装置を試験対象として絞り込んで自律で試験を行うことができる。そのため従来よりも高速で，かつ，主信号中継網１や保守網２のトラヒック負荷を軽減した試験が可能となる。
【００３２】
図２は通信網の試験方式の実施例のシステム構成を示す図である。図中，１，２は上記図１の同一符号と同じであり，３Ａ〜３Ｂは保守網２に接続された管理サーバを３つの機能に分けたもので，３Ａは上記図１の３と同じ設備管理サーバ，３０Ａは設備情報データベース（図２では単に設備情報ＤＢで表す），３Ｂは試験管理サーバ，３０Ｂは試験情報データベース（図２は単に試験情報ＤＢで表す），３Ｃは経路管理サーバ，３０Ｃは経路情報データベース（図２は単に経路情報ＤＢで表す）である。４（４Ａ，４Ｂを代表）は通信装置，４０（４０Ａ，４０Ｂを代表）はＮＡＴ，４３（４３Ａ，４３Ｂを代表）は図１に示す対向装置通信管理テーブル４１，試験回路４２や管理手段を含むエッジルータ，４３０（４３０Ａ，４３０Ｂを代表）は保守管理部（内容は後述する図３に示す）である。５（５Ａ，５Ｂ，・・５Ｆを代表）はＩＰ電話である。
【００３３】
エッジルータ（ＥＲで表す場合がある）４３に設けられた保守管理部４３０は，図１中に示した対向装置通信管理テーブル４１と試験回路４２の機能を含む保守管理機能を備えている。
【００３４】
ＩＰ電話５の音声信号を含むＩＰ信号はエッジルータ（ＥＲと呼ぶ場合もある）４３で受信され，ＮＡＴ４０によりＩＰアドレス変換を行った上，主信号中継網１へ送出される。例えば，ＮＡＴ４０Ａは，配下のエッジルータ４３Ａ，ＩＰ電話５Ａの持つＩＰアドレス（１９２．１６８．１．１）をＮＡＴ４０Ａに割り当てされたグローバルＩＰアドレス（１０．１０．１．１）に変換し，そのＩＰ電話５Ａやエッジルータ４３Ａのアドレスをポート番号として管理する。
【００３５】
具体的には，ＮＡＴ４０Ａは，ＥＲ４３Ａ：ポート番号１０００，ＩＰ電話５Ａ：ポート番号１００１，ＩＰ電話５Ｂ：ポート番号１００２，ＩＰ電話５Ｃ：ポート番号（１０００＋ｘ）として割当てる（図２の例では，ｘは３以上の整数とする）。
【００３６】
これにより，主信号中継網１内では，ＮＡＴ４０毎に割り当てられたグローバルＩＰアドレスにて通信が行われ，対向装置からのパケット信号は，ＮＡＴ４０を介して各通信端末のＩＰアドレス宛のパケット信号として，エッジルータ４３経由で各ＩＰ電話５に到着する。保守管理部４３０は，このエッジルータ４３を経由する際の通信をモニタし，その通信実績を格納・管理し，また，通信実績から試験対象の対向装置を効率的に判別し，試験を実施する。
【００３７】
設備管理サーバ３Ａは，主信号アクセス網（主信号中継網１にアクセスする複数の通信装置４で構成）を構成する通信装置４等の設備情報を設備情報ＤＢ３０Ａで格納・管理する。
【００３８】
試験管理サーバ３Ｂは，主信号中継網１，主信号アクセス網の通信装置４の保守試験結果・状況を試験情報ＤＢ３０Ｂで格納・管理し，経路管理サーバ３Ｃは，主信号中継網１の系やその経路，主信号アクセス網の経路等の状態を経路情報ＤＢ３０Ｃで格納・管理する。また，各サーバ３Ａ〜３Ｃ間では，自情報を他サーバとやり取りを行う。
【００３９】
以上により，各管理サーバ３（Ａ，Ｂ，Ｃ）は，通信装置間の接続情報をＩＰ通信網の網全体として把握できるように管理しており，通信装置４に障害が発生した場合，影響を及ぼす通信装置４やその経路等の特定を行うことができる。
【００４０】
図３は通信網の試験方式の実施例の内部構成を示す図であり，図２のエッジルータ（ＥＲ）４３の構成例を示すものである。図３において，４３はエッジルータ（ＥＲ），４３０は保守管理部，４３１は通信モニタ判別部，４３００はＴＣＰ／ＩＰ通信管理部，４３０２はＩＣＭＰ（Internet  Control  Message  Protocol）通信管理部，４３０３はＲＴＰ（Real-Time  Transport  Protocol）通信管理部，４５０はアドレス変換を行うＣＡＭ（Content  Addressable  Memory）部である。
【００４１】
保守管理部４３０は，通信モニタ判別部４３１と，通信管理部４３２と，試験回路部４３３と保守情報送受信部４３４とを備えている。また，ＥＲ４３には，ＥＲ４３の信号インタフェースとして，複数のＩＰ電話５をインタフェースするポート４４Ａ（１）〜４４Ａ（ｎ）と（ただし，ｎは２以上の整数とする），ＮＡＴ４０をインタフェースするポート４４Ｂと，保守網２の装置とインタフェースするポート４４Ｃとが備えられている。
【００４２】
ＥＲ４３は，設備管理サーバ３Ａから送出された全ＥＲ情報を，保守網２経由でポート４４Ｃを介して保守情報送受信部４３４で受信する。そして，その受信された情報が自装置内の保守管理部４３０内の各部（通信モニタ判別部４３１，通信管理部４３２，試験回路部４３３）に対して通知される。
【００４３】
通信モニタ判別部４３１には，複数の通信プロトコルに対応するための各通信管理部４３００，４３０２，４３０３及びＣＡＭ部４５０とを備え，ＴＣＰ／ＩＰ通信管理部４３００はＴＣＰ／ＩＰ管理テーブル４３０１を備える。通信管理部４３２の通信管理テーブル４３２０，試験回路部４３３の試験管理テーブル４３３０の詳細内容は後述する図５及び図６で説明する。
【００４４】
通信モニタ判別部４３１は，ＣＡＭ部４５０に，全ＥＲ情報から入出力パケットを対向装置単位で通信を識別するためのテーブルデータとして，複数の拡張ＣＡＭテーブル４５０Ａ（１）〜４５０Ａ（ｎ）を備え，これらのテーブルから対向装置単位，プロトコル単位に通信実績を確認処理する。また，ＥＲ４３から出力される全てのプロトコル単位で送信先ＩＰアドレスを参照して対向装置（ＥＲ）単位に送信実績を作成し，ＥＲ４３へ入力される全てのプロトコルで送信元ＩＰアドレスを参照して対向装置単位に受信実績を作成する。その際，双方向通信の確認が可能な通信プロトコルの場合，プロトコルに応じた双方向の確認を行う。
【００４５】
ＣＡＭ部４５０は，ポート４４Ａ，ポート４４Ｂ及びポート４４Ｃから受信したパケット信号の情報を，拡張ＣＡＭテーブル４５０Ａ（１）〜４５０Ａ（ｎ），４５０Ｂ上に対向装置単位の宛先ＩＰアドレス・プロトコル別に展開し，そのテーブルから各プロトコル通信管理部別にその情報を振分ける。振り分けられた情報は，具体的には，次に示す内容の処理が行われる。
【００４６】
ＴＣＰ／ＩＰプロトコルとして振り分けられた情報は，更に，ＴＣＰ／ＩＰ通信管理部４３００によりその中のＩＰヘッダ情報から宛先ＩＰアドレスが読出され，その中のＴＣＰヘッダ情報から受信シーケンス番号や送信シーケンス番号等が読出される。これらの読出された情報は，ＩＰアドレスと共に，ＴＣＰ／ＩＰ管理テーブル４３０１へ記録され，ＴＣＰ通信実績として，通信管理部４３２へ送られる。
【００４７】
ＩＣＭＰプロトコルとして振り分けられた情報は，ＩＣＭＰ通信管理部４３０２によりＩＣＭＰメッセージ内容がモニタされ，通信実績が作成される。その際，ＩＣＭＰメッセージのｔｙｐｅフィールドによるエコー要求とエコー確認の識別を行い，対向装置単位に双方向確認も行われる。その内容により双方向確認が取れた場合，双方向の通信実績として，通信管理部４３２へ送られる。
【００４８】
ＲＴＰプロトコルとして振り分けられた情報は，ＲＴＰ通信管理部４３０３によりＲＴＰメッセージ内容がモニタされ，その内容により通信実績として，通信管理部４３２へ送られる。
【００４９】
以上のように，通信モニタ判別部４３１で処理された通信実績を，設備管理サーバ３から配布された対向装置情報と共に，通信管理部４３２は，タイムスタンプ情報を付加して通信管理テーブル４３２０へ格納し，管理する。
【００５０】
試験回路部４３３は，試験管理テーブル４３３０の設定に従って周期的に通信管理テーブル４３２０から送信実績，受信実績の通信実績を読出し，一定期間内に通信実績が無い対向装置に対して自律的に試験通信を実施する。
【００５１】
図４は図３に示す構成における具体的な動作例を説明する図であり，ＥＲ４３の保守管理部４３０内での集約経路単位のアドレスをＥＲ個別の非集約アドレス単位のＩＰアドレスで，対向装置単位に通信を識別する説明図である。
【００５２】
図４において，ＥＲ４３内の保守管理部４３０の拡張ＣＡＭテーブル４５０Ａ（ｉ），集約アドレス（例えば，「１０．１０．０．０」）を個別アドレス（例えば，「１０．１０．１０．１」と「１０．１０．１１．１」）に展開した後のプロトコル単位の確認処理の動作概要を示している。
【００５３】
ＥＲ４３は，設備管理サーバ３Ａから全ＥＲの情報配布を保守情報送受信部４３４で受け，従来方法による一実施例の集約経路単位によるものではなく，入出力パケットを対向装置単位で通信を識別する。そのために，拡張ＣＡＭテーブル４５０Ａ（ｉ），４５０Ｂで個別アドレス・プロトコル別にテーブルを作り，通信モニタ判別部４３１へＩＰアドレスと，プロトコルタイプを通知する。
【００５４】
通信モニタ判別部４３１では，プロトコル別（４３００，４３０２，４３０３）にＩＰアドレスを管理し，通信管理部４３２において，対向装置単位（個別ＩＰアドレス）で通信実績を通信管理テーブル４３２０により管理している。
【００５５】
ＥＲ４３から出力されるパケットの全てのプロトコルで，送信先ＩＰアドレスを参照し，対向装置単位に通信管理テーブル４３２０の「送信実績」を作成する。また，ＥＲ４３から入力される全てのプロトコルで送信元ＩＰアドレスを参照し，対向装置単位に「受信実績」を作成する。また，双方向通信の確認が可能なプロトコルの場合，双方向の通信確認を行う。例えば，ＴＣＰプロトコルであれば，ＴＣＰシーケンス番号を監視することにより「双方向確認」を作成する。
【００５６】
図５は通信管理テーブルの登録内容の詳細の説明図であり，図３の通信管理部４３２内に設けられ，項目名，登録例及び登録内容と意味とで構成する。なお，図４に示す通信管理テーブル４３２０にはその一部の登録項目だけを示し，図５にはそれ以外の登録される項目も示されている。項目名の「名称」４３２０Ａは，保守者が管理のために設定するＥＲ毎の名称であり，「グローバルＩＰアドレス」４３２０Ｂは，ＮＡＴ４０が配下の機器のローカルＩＰアドレスをグローバルＩＰアドレスに変換したものを示している。「代表ポート番号」４３２０Ｃは，ＮＡＴ４０が，配下のＥＲ４３にＩＰアドレス管理のために割当てたポート番号である。「管理状態」４３２０Ｄは，通信装置４の状態を示すもので，例えば，工事中（装置は運用前段階であり，動作保障外），運用中（装置は運用状態で，正常動作），停止中（装置は停止状態であり，動作不明）の種別により登録される。「エリア情報」４３２０Ｅは，ＥＲ４３が収容されている地域割当て（エリア）である。
【００５７】
「送信実績」４３２０Ｆは，通信モニタ判別部４３１により確認された自ＥＲからのパケット送信の通信管理部４３２でのタイムスタンプ情報を示し，「受信実績」４３２０Ｇは，通信モニタ判別部４３１により確認された自ＥＲへのパケット受信の通信管理部４３２でのタイムスタンプ情報を示す。「双方向確認」４３２０Ｈは，通信モニタ判別部４３１により，例えば，ＩＣＭＰ通信プロトコル等のエコー要求とそのエコー応答による双方向通信が確認されたパケット通信のタイムスタンプされた時間（時分秒）情報を示す。
【００５８】
「経路変更」４３２０Ｉは，保守情報送受信部４３４に経路管理サーバ３Ｃから通知された時間情報であり，その経路変更が終了する予想時間（時分秒）を通信管理部４３２で記録したものである。
【００５９】
図６は試験管理テーブルの登録内容の詳細の説明図であり，試験管理テーブルは図３の試験回路部４３３に備えられており，図５と同様に項目名，登録例及び登録内容と意味とで構成し，エッジルータ（ＥＲ）毎に試験情報データとして保存されるテーブル内容の項目４３３０Ａ〜４３３０Ｅがある。具体的には，「試験開始時間」４３３０Ａは，試験通信を行うために通信管理テーブル４３２０の試験対象ＥＲの最初のＥＲの試験を開始する時間（時分秒）である。「試験周期」４３３０Ｂは，通信管理テーブル４３２０にある全ＥＲを試験する１周期の時間間隔であり，図６の登録例では「６０分」になっている。１周期の試験サイクルの終了後，試験開始時間は試験周期を加算した時間に更新される。「試験モード」４３３０Ｃは，等間隔設定の場合，試験周期を試験対象ＥＲ数で均等割した時間間隔で各ＥＲの試験を実施する。また，バースト設定の場合，試験開始時間から全ＥＲ装置を対して最短時間で試験を実施する。「試験管理サーバアドレス」４３３０Ｄは，試験結果を返送する試験管理サーバ（図２の３Ｂ）のＩＰアドレスであり，「試験開始／停止」４３３０Ｅは，試験を実施するか（開始），または試験を実施しないか（停止）を選択する。なお，試験停止の場合においても，通信モニタ判別部（図４の４３１）により通信モニタは行われ，通信実績の確認は処理される。
【００６０】
図７はＩＣＭＰ通信管理部の処理フローであり，プロトコル通信管理の一つである図３のＩＣＭＰ通信管理部４３０２において実行される。図７のＳ１〜Ｓ７のステップは，図３の通信モニタ判別部４３１でＩＣＭＰ通信の送受信を通信モニタし，ＩＣＭＰ通信管理部４３０２でその送受信実績を通信管理部４３２に通知するまでの処理ステップであり，図３を参照しながら，その処理内容を説明する。
【００６１】
エッジルータ（ＥＲ）４３のポート４４Ａ（１）〜４４Ａ（ｎ），ポート４４Ｂのいずれかを経由したパケット信号は，通信モニタ判別部４３１内のＣＡＭ部４５０によりパケットのＩＰヘッダ情報（プロトコル番号）からプロトコルが判別され，そのプロトコルタイプがＩＣＭＰプロトコルであると判断した場合，そのＩＰヘッダ情報と共に，ＩＣＭＰ情報が含まれているＩＰデータがＩＣＭＰ通信管理部４３０２に送られる（図７のＳ１）。その際，ＣＡＭ部４５０からポート４４Ａ（１）〜ポート４４Ａ（ｎ）中のポートを経由した送信データであることが通知され，ＩＣＭＰ送信であるかが判別され（図７のＳ２），ＩＣＭＰ送信の場合（Ｙｅｓの場合）は送信先の「グローバルＩＰアドレス」（図５の４３２０Ｂ）と，「送信実績」（図５の４３２０Ｆ）を通信管理部４３２に通知する（図７のＳ３）。
【００６２】
ＣＡＭ部４５０からポート４４Ｂ経由の受信データであることが通知された場合，ＩＣＭＰ受信であるかを判別し（図７のＳ４），ＩＣＭＰ受信の場合（Ｙｅｓの場合），通信モニタ判別部４３１は受信宛先の「グローバルＩＰアドレス」（図５の４３２０Ｂ）と，「受信実績」４３２０Ｇを通信管理部４３２に通知する（図７のＳ５）。ＩＣＭＰ受信の場合，更に，通信モニタ判別部４３１はＩＣＭＰメッセージの情報から自装置配下にある端末のＩＰアドレス宛のＩＣＭＰエコー応答パケットか判別し（図７のＳ６），Ｙｅｓと判断した場合，対象ＥＲ（送信元）の「グローバルＩＰアドレス」と「双方向確認」（図５の４３２０Ｈ）を通信管理部（図３の４３２）に通知する（図７のＳ７）。
【００６３】
図８は，通信管理部（図３の４３２）の通信実績の処理フローである。図８において，Ｓ１〜Ｓ８のステップは，通信モニタ判別部４３１から通信実績を通知された後，その結果を通信管理テーブル（図３の４３２０）に反映するまでの処理が示される。
【００６４】
通信管理部は，通信モニタ判別部（図３の４３１）から通信実績が通知されるのを待ち（図８のＳ１），対象ＥＲと通信実績の通知があると，通信管理テーブル（図３の４３２０）から対象ＥＲのテーブルデータをサーチする（図８のＳ２）。その通信実績が「送信実績」であるか判別し（図８のＳ３），Ｙｅｓの場合は現在の時刻のタイムスタンプ情報を，対象ＥＲの「送信実績」（図６の４３２０Ｆ）に格納し（図８のＳ４），通知された通信実績が送信実績でない場合は「受信実績」であるかを判別（同Ｓ５），Ｙｅｓと判定されると，現在の時刻のタイムスタンプ情報を対象ＥＲの「受信実績」（図５の４３２０Ｇ）に格納する（図８のＳ６）。更に，受信時の通信実績において，双方向確認がとれるプロトコルの場合（図８のＳ７），通信管理テーブルの「双方向確認」（図５の４３２０Ｈ）にもタイムスタンプ情報を格納する（図８のＳ８）。
【００６５】
図９は設備管理サーバと経路管理サーバの処理フローであり，図９の（Ａ）は，設備管理サーバ（図２の３Ａ）の経路切替・障害発生検知時の処理フロー，（Ｂ）は経路管理サーバ（図２の３Ｃ）の経路異常検知時の処理フローである。
【００６６】
図９の（Ａ）の処理は，設備管理サーバによる経路切替情報の受信や設備障害を検知した場合の処理ステップである。設備管理サーバ（図２の３Ａ）は，経路管理（図２のサーバ３Ｃ）からの経路切替の通知が有るか判別し（図９のＳ１），通知があると対象経路の切替に伴う切替対象ＥＲを認識する（同Ｓ２）。次に，設備管理サーバは，各ＥＲの装置接続情報から経路切替により影響のあるエリアを抽出し（図９のＳ３），各装置の接続情報から経路切替の影響が収束する時間を予測し，全ＥＲに対してそのエリア単位の予測時間を通知する（同Ｓ４）。また，設備管理サーバが設備障害を検知したか判別し（図９のＳ５），検知した場合は，障害の影響を受けたＥＲを検知し（同Ｓ６），全ＥＲに対してその障害を受けたＥＲの情報を通知する（同Ｓ７）。
【００６７】
図９の（Ｂ）のステップＳ８〜Ｓ１０の処理は経路管理サーバ（図２の３Ｃ）による経路異常検知の場合の処理ステップである。経路管理サーバは，通信網の経路異常を検知したか判別し（図９のＳ８），検知した場合，主信号中継網（図２の１）の通信経路切替指示等を通信網設備に対して行う（図９のＳ９）。それと共に，設備管理を行っている設備管理サーバ（図２の３Ａ）に通信経路切替の通知を行う（同９のＳ１０）。
【００６８】
図１０は経路切替障害情報の通知を受けた場合のエッジルータの処理フローである。エッジルータ（ＥＲ）が設備管理サーバ（図２の３Ａ）から経路切替・障害情報の通知を受けた時に実行され，ステップＳ１〜Ｓ８の処理は，ＥＲ４３内の保守管理部（図３の４３０）に備えられた保守情報送受信部（図３の４３４）と通信管理部（同４３２）の経路切替情報，障害情報受信により実行される。
【００６９】
エッジルータ４３の保守管理部４３０内の保守情報送受信部４３４は，設備管理サーバ３Ａより保守情報の中から障害情報の受信があるか判別し（図１０のＳ１），受信があった場合，保守情報送受信部４３４は障害対象となるＥＲを通信管理部（図３の４３２）に通知し（同Ｓ２），通信管理部は通信管理テーブル（図３の４３２０）の対象ＥＲの「管理状態」を停止中に設定し（図１０のＳ３），ステップＳ４に移行する。ステップＳ１において保守情報送受信部４３４から障害情報を受信しないと判定された場合及びステップＳ３に続いて，経路切替情報の受信か判別し（図１０のＳ４），経路切替情報を受信した場合は，保守情報送受信部は，経路切替対象となる「エリア」及びその「経路変更」の予測時間を通信管理部に通知し，その通知を受けた通信管理部は，通信管理テーブル（図３の４３２０）上の切替対象エリアのＥＲを検索し（図１０のＳ５），通信管理テーブルの検索されたＥＲの「経路変更」４３２０Ｉに通知された予測時間（収束時間）を格納する（図１０のＳ６）。上記ステップＳ４において経路切替情報を受信しないと判別された場合及びステップＳ６に続いて，その他ＥＲ情報や試験情報を受信したか判別し（図１０のＳ７），受信した場合には保守情報送受信部は各対応部に情報を送出し，通知を受けた各対応部は通信管理テーブル，試験管理テーブル等の内容更新を行う（同Ｓ８）。
【００７０】
図１１は通信管理部における通信履歴確認の処理フローであり，エッジルータ（ＥＲ）毎の通信管理部（図３の４３２）により通信管理テーブル（図３の４３２０）上の指定された対象ＥＲの通信履歴を更新する処理である。指定されたＥＲの「管理状態」（図５の４３２０Ｄ）が停止中であるか判別し（図１１のＳ１），停止中である場合は，通信管理テーブルの該当する「送信実績」（図５の４３２０Ｆ），「受信実績」（同４３２０Ｇ），「双方向確認」（同４３２０Ｈ）の内容を削除する（図１１のＳ６）。ステップＳ１で管理状態が停止中でないと判別されると，「経路変更」が設定されているか判別し（図１１のＳ２），設定されていると判別された場合は現在時刻が「経路変更」の時間以降か判別し（同Ｓ３），経路変更時間以降でないことが分かると上記ステップＳ６の処理を実行する。ステップＳ２において，「経路変更」が設定されてないと判別された場合及びステップＳ３で現在時刻が「経路変更」時間以降であると判別されると，「管理状態」（図５の４３２０Ｄ）を確認して，運用中に設定されているか判別する（図１１のＳ４）。運用中でないと上記ステップＳ６が実行され，運用中である場合は対象ＥＲの順次確認処理（後述する図１２参照）を実施する（図１１のＳ５）。
【００７１】
図１２は通信管理テーブルの順次確認の処理フローであり，ＥＲ毎の通信管理部（図３の４３２）における通信管理テーブル（同４３２０）の通信履歴確認処理の中の順次確認の処理フローであり，上記図１１のステップＳ５において実行される詳細な内容である。
【００７２】
通信管理部は，通信管理テーブル上の「送信実績」（図５の４３２０Ｆ）の時間経過が，試験回路部（図３の４３３）内の試験管理テーブル（同４３３０）の「試験周期」（図６の４３３０Ｂ）の試験周期時間以内か判別し（図１２のＳ１），以内でない場合は，通信管理テーブル（図３の４３２０）から対象ＥＲの「送信実績」を削除し（図１２のＳ２），続いてステップＳ３に移行する。一方，ステップＳ１で「送信実績」の時間経過が試験周期時間以内である場合は，通信管理部は通信管理テーブルの「受信実績」（図５の４３２０Ｇ）を読出す（図１２のＳ３）。続いて「受信実績」の時間経過が試験周期以内か判別し（図１２のＳ４），試験周期以内でない場合は，通信管理テーブルから対象ＥＲの「受信実績」（図５の４３２０Ｇ）を削除する（図１２のＳ５）。その後，ステップＳ６に移行する。一方，「受信実績」の時間経過が試験周期時間以内である場合，試験回路部４３３に対象ＥＲのｐｉｎｇ試験通信（ＩＣＭＰエコー要求メッセージの送出とＩＣＭＰエコー応答メッセージの受信による試験通信）の指示を行う（図１２のＳ７）。
【００７３】
図１３は試験回路部の処理フローであり，エッジルータ（ＥＲ）の試験回路部（図３の４３３）の試験処理フローである。図１３のステップＳ１〜Ｓ７の処理は，試験回路部による通信管理テーブル（図３の４３２０）と試験管理テーブル（同４３３０）に基づく試験処理フローである。
【００７４】
試験回路部は，定期的に試験開始準備をしており，試験管理テーブルに定められた試験開始時間前に試験情報テーブルの読込みを行う。試験情報テーブルの「試験開始」（図６の４３３０Ｅ）が開始状態であるか判別し（図１３のＳ１），「試験開始」が休止状態の場合は試験は実施されないで終了するが，開始状態に設定されていると，試験開始準備に入るため，各設定項目の読出しを行う。この場合，「試験モード」（図６の４３３０Ｃ）が「バーストモード」であるか判別し（図１３のＳ２），バーストモードである場合は，試験開始時間から性能の許す限り最短値を確認実行間隔に設定し（同Ｓ３），ステップＳ２において「試験モード」が等間隔モードであると判定されると「試験周期」（図６の４３３０Ｂ）とＥＲ数よりＥＲ試験の確認実行間隔を設定する（図１３のＳ４）。ステップＳ３，Ｓ４の処理に続いて，現在時刻の確認をして試験開始以前であるか判別し（図１３のＳ５），以前ではなく試験開始時間になったと判別されると，通信管理テーブルのＥＲ毎に順次確認処理（図１２の処理フロー）を開始する（図１３のＳ６）。次に通信管理部からの試験指示があるか判別し（図１３のＳ７），試験指示がある場合，対象ＥＲの試験が実施され（同Ｓ８），試験指示が無い場合及びステップＳ８に続いて，対象ＥＲが試験の最終ＥＲであるか判別する（同Ｓ９）。最終ＥＲである場合は，試験回路部（図３の４３３）は，「試験開始時間」（図６の４３３０Ａ）に「試験周期」（図６の４３３０Ｂ）の時間を加算し，その時間を新たな「試験開始時間」として試験管理テーブル（図３の４３３０）に格納する（図１３のＳ１０）。試験対象の最終ＥＲでない場合，Ｓ５の処理に戻り，次の試験対象ＥＲの試験タイミングを待つ。
【００７５】
図１４は新規のエッジルータの登録設定動作の説明図であり，ＩＰ通信網に新規のエッジルータ４３（以下，単に「ＥＲ−０」といい，複数の既設ＥＲ４３を「ＥＲ−１〜ＥＲ−ｎ」という。ただし，ｎは整数とする）を増設した場合の登録設定動作の一例を示す。図１４において，（１）〜（６）の処理は，新規ＥＲ登録時の各管理サーバ３（Ａ，Ｂ，Ｃ）とＥＲ４３のＥＲ情報のやり取りを示している。
【００７６】
図１４において，オペレータは，設備管理サーバ３ＡにＥＲ−０を「工事中」で登録する（図１４の（１）)。登録内容には，通信管理テーブル４３２０に関する情報のＥＲの「名称」（図５の４３２０Ａ），「グローバルＩＰアドレス」（図５の４３２０Ｂ），ＥＲ４０とＮＡＴ４１間の通信に対して使用されるポート番号である「代表ポート番号」（図５の４３２０Ｃ），装置の稼動状態を示す「管理状態」（図５の４３２０Ｄ），装置が収容される場所を示す「エリア情報」（図５の４３２０Ｅ）の他に対応するＮＡＴ４０の情報等が含まれる。設備管理サーバ３Ａは，対応するＮＡＴ４０の情報からパケット信号が主信号中継網１を疎通する時のＩＰアドレスである「グローバルＩＰアドレス」に変換し，グローバルＩＰアドレスを元に通信装置間の接続情報を作成する。
【００７７】
設備管理サーバ３Ａは，ＥＲ−０に対して全ＥＲ情報を送出する（図１４の（２））。次に，ＥＲ−０が追加されたことをＥＲ−０以外の全ＥＲに通知する（同（３））。通知されたＥＲ−１〜ＥＲ−ｎは，各ＥＲが持つ通信管理テーブル４３２０にＥＲ−０の情報を追加する。また，設備管理サーバ３Ａは，試験管理サーバ３Ｂに対してＥＲ−０の情報を通知する（図１４の（４））と共に，経路管理サーバ３Ｃにも通知する（同（５））。そして，その通知を受けた各サーバはＥＲ−０の情報を登録する。
【００７８】
図１４において，ＥＲ−０がその通信管理テーブル４３２０にＥＲ−１〜ＥＲ−ｎの情報を登録した例を示しており，通信管理テーブルの登録項目４３２０Ａ〜４３２０Ｉに対応するＥＲ−ｎの登録された内容は４３２０Ａ（ｎ）〜４３２０Ｉ（ｎ）である（ただし，ｎは０以上の整数）。図１４の例では，「名称」は「ＥＲ−ｎ」，「グローバルＩＰアドレス」は「１０．ｙ．ｘ．１」，「代表ポート番号」は「１０００」，「管理状態」は「運用中」，エリア情報は「宮崎」である。
【００７９】
以下に，図１４において，試験管理サーバ３ＢからＥＲ−０に対する試験情報の登録方法の一例について説明する。試験管理サーバ３Ｂは，各ＥＲ４３が自律試験を実施するにあたり，試験情報データベース３０Ｂから該当する試験情報をＥＲ−０に対して送信する（図１４の（６））。その試験情報には，図６に示されている試験管理テーブルの項目の試験開始時間を設定する「試験開始時間」，全ＥＲを試験する間隔を設定する「試験周期」，試験間隔での試験タイミングを設定する「試験モード」，試験結果を通知するサーバを設定する「試験管理サーバアドレス」，自律試験を開始／停止設定する「試験開始／停止」の登録内容が含まれている。図１４の例では，「試験開始時間」が００：００：００，「試験周期」が６０分，「試験モード」が等間隔，「試験管理サーバアドレス」が２１０．２１０．１．１，「試験開始／停止」が開始の場合を示している。
【００８０】
試験が時刻０時０分０秒から開始され，試験周期６０分が終わると「試験開始時間」は１：００：００に自動更新される。なお，試験開始以降，「試験開始時間」は１周期の試験完了後毎に，「試験周期」に応じて更新される。
【００８１】
この通信網の試験方式の一実施態様において，ＥＲ新規登録をマルチキャストとした場合の動作例を説明する。設備管理サーバ３Ａは，登録ＥＲ情報の変更有無に関わらず定期的に全ＥＲの情報をマルチキャストにて，全ＥＲに送出する。その情報を受信したＥＲ側では，自己以外の全ＥＲの通信管理テーブル４３２０に対する情報を更新する。何らかの要因で，マルチキャスト情報が完全に受信できない場合，次回の情報が受信される時まで，通信管理テーブル４３２０を更新しない。
【００８２】
設備管理サーバ３Ａがマルチキャストで設備情報を送出する場合，通信管理テーブル４３２０に登録されているＥＲの順番が全ＥＲで同じとなり，同一ＥＲに対して同時刻に全ＥＲから試験通信の来る可能性がある。それを避けるため，試験管理サーバ３Ｂが「試験開始時間」４３３０Ａを各ＥＲでずらして通知する。これにより，各ＥＲでは登録する「試験開始時間」４３３０Ａは試験タイミングがずれたものとなるため，試験通信の重複を避けることができる。
【００８３】
ＥＲの追加削除が頻繁に行われる網等では，設備管理サーバ３Ａからの通信管理テーブル４３２０の更新も頻繁に発生する。試験対象となるＥＲの追加設定に時間遅れが許される場合，マルチキャストを使用して保守網のトラヒックを下げることが可能である。
【００８４】
図１５は工事中状態のエッジルータの通信管理テーブル更新の動作説明図である。この例ではＥＲ−０が「工事中」状態である場合，試験通信を行うことにより通信管理テーブル４３２０を更新する動作を説明するものであり，図中，（２０）及び（３０）〜（３８）は試験処理を示している。
【００８５】
ＥＲ−０は自装置が「工事中」状態であることから，ＩＰ電話からの通話は受け付けないが，経路確認のために試験は実施する。一方，ＥＲ−１〜ＥＲ−ｎは，自身の通信管理テーブル４３２０上において，ＥＲ−０の「管理状態」４３２０Ｄが「工事中」の場合，ＥＲ−０が運用前の準備状態であることを認識し，ＥＲ−０が試験応答可能か判断できないため，ＥＲ−０への試験は行わない。
【００８６】
図１５において，ＥＲ−０は試験管理テーブル（図１５では図示省略）の「試験開始時間」が００：００：００，「試験開始／停止」が開始に設定された場合，時刻０時０分０秒に試験を開始し，「試験周期」が６０分，「試験モード」が等間隔の設定で，ＥＲ−１〜ＥＲ−ｎまでを６０分間かけて等間隔で試験を実施する。例えば，ＥＲ台数が３６００台（ｎ＝３５９９）の場合，１秒間に１つのＥＲの間隔で，ＥＲ−０は試験を実施する。
【００８７】
ＥＲ−０は，最初にテーブル順序に従い（例えば，グローバルＩＰアドレス順でソートされている），運用中のＥＲ―１（グローバルＩＰアドレス：１０．１０．１．１，ポート番号：１０００）への試験パケット送信を時刻０時０分０秒で開始する（図１５のＥＲ−０内の（２０））。ＥＲ−０は，ＥＲ−１の「管理状態」が運用中であることを確認し，時刻０時０分０秒に試験回路部から試験パケットを送信する（図１５の（３０））。ＥＲ−０から送出された試験パケットのＩＰヘッダ情報は，ＮＡＴ４０にて「グローバルＩＰアドレス」：１０．１０．１．１，「代表ポート番号」：１０００に変換されて，主信号中継網１経由で対向装置のＥＲ−１に送られる。その送出された試験パケットは，主信号中継網１を経由し，ＥＲ−１側の「ＩＰアドレス：１０．１０．１．１」のＮＡＴ４０に到着した後，受信された試験パケットのＩＰヘッダ情報は，ＮＡＴ４０にて「ローカルＩＰアドレス：２１０．１．１．１」に変換され，ＥＲ−１に送出される（図１５の（３１））。
【００８８】
一方，ＥＲ−０からの試験パケットを受信したＥＲ−１は，ＥＲ−１の図３中に示したポート４４Ｂを介して保守管理部４３０内の通信モニタ判別部４３１において，ＩＣＭＰプロトコルを判別し（例えば，ｐｉｎｇコマンドによる試験の場合），「受信実績」４３２０Ｇを確認する。ＥＲ−１は，試験パケットの宛先ＩＰアドレスが自アドレスであるため，ポート４４Ｂを介して応答メッセージを含むパケットの返送を行う（図１５の（３２））。
【００８９】
ＥＲ−０は，ＥＲ−１からの応答メッセージを含むパケットを受信する（図１５の（３３））。その際，ＥＲ−１の通信モニタ判別部（図３の４３１）内のＩＣＭＰ通信管理部（図３の４３０２）において，ＩＣＭＰ送信パケットに対するエコー応答メッセージであることを確認すると，ＥＲ−１の通信実績として「受信実績」及び「双方向確認」を通信管理部（図３の４３２）へ通知する。これにより，通信管理テーブル（図３の４３２０）の「受信実績」と，「双方向確認」にタイムスタンプ（図１５では，時刻０時０分１秒に確認された場合）が付加されて格納される。
【００９０】
その後，同様に，ＥＲ−０は，引き続きＥＲ−２に対して試験パケット送受信の確認通信を行う（図１５の（３４））。図１５に示された「送信実績」の「００：００：０１」，「受信実績」の「００：００：０２」，「双方向確認」の「００：００：０２」の内容は，通信実績の確認がとれた状態を示している。ＥＲ−０のＥＲ−３に対する試験確認（図１５の（３５））では，「送信実績」に「００：００：０２」，「受信実績」に「無し」，「双方向確認」に「無し」となっているのは，試験パケット送信は行ったものの，受信実績の確認が行えなかった状態を示している。
【００９１】
通信管理テーブルに示されている「名称」のＥＲ−４では，「管理状態」が工事中となっている。これは，運用前の準備状態であり，ＩＰ電話５（図示省略）からの通話は受け付けない状態であるが，経路確認のための試験は実施される（図１５の（３６））。その他のＥＲ−ｎでは「管理状態」が運用中であり，経路確認のための試験は実施される（図１５の（３７））。ＥＲ−０は，試験周期の１周期終了後，保守網２経由でその試験実施の結果情報を試験管理サーバ３Ｂに通知する（図１５の（３８））。一方，ＥＲ−０以外のＥＲ−１〜ＥＲ−ｎは，自ＥＲでの試験実施の際，ＥＲ−０が試験応答可能であるか否か判断できないため，ＥＲ−０に対する試験は行わない。
【００９２】
試験パケットは，対向ＥＲのグローバルＩＰアドレスと代表ポート番号宛に送出され，受信側ＮＡＴ４０で受信側ＥＲ４３のＩＰアドレス変換を行う。これにより，試験パケットを受信したＥＲ４３は，送信元のＥＲ４３に対して試験結果パケットを返送する。ＥＲ４３は，対向ＥＲ４３向けにパケットを送出した場合，通信管理テーブル４３２０の「送信実績」４３２０Ｆに送信時間を記録する。また，対向ＥＲ４０からパケットを受信した場合，「受信実績」に受信時の時間を記録する。したがって，パケットを受信しなかった場合には「受信実績」は作成されないことになる。ＥＲ−０は，「送信実績」と「受信実績」を作成する際，自己向けのＩＣＭＰ（ｐｉｎｇ）通信であることを認識し，自己に対するＩＣＭＰのエコー応答であれば，「双方向確認」の確認実績も作成する。逆に，自己へのＩＣＭＰエコー応答は受けず，対向装置からのＩＣＭＰエコー要求のみ受けた場合，対向装置から自己の通信経路までの確認はできているので「受信実績」は作成されるが，「双方向確認」の作成は行われない。これらの「送信実績」，「受信実績」，「双方向確認」の試験結果は，各ＥＲ４３から試験周期単位毎に保守網２を介して試験管理サーバ３Ｂに通知される。
【００９３】
図１６は運用状態での通信管理テーブルの通信実績の更新動作の説明図であり，図１６において，（４１）〜（４６）は通信，又は試験処理を示している。
【００９４】
図１６において，オペレータがＥＲ−０の「管理状態」を運用中に変更した場合，設備管理サーバ３ＡからＥＲ−０に対して運用状態になることが通知され，ＥＲ−１〜ＥＲ−ｎに対してはＥＲ−０の「管理状態」が運用中に変更になったことを通知する（図１６の（４１））。これを受けて，ＥＲ−１〜ＥＲ−ｎでは，自装置の通信管理テーブル４３２０のＥＲ−０の「管理状態」を運用中に変更し，ＥＲ−０を試験対象として認識する。ＥＲ−０の通信管理テーブル４３２０は，各種通信が行われると通信管理部（図３の４３２）により随時更新される。
【００９５】
具体的には，ＥＲ−１配下のＩＰ電話５が通話を開始した場合（図１６の（４２）），通信管理テーブル４３２０に登録されているＩＰアドレスに対してＴＣＰ通信を行う際，ＴＣＰヘッダ内のシーケンス番号にて双方向の通信を確認し，「送信実績」，「受信実績」，「双方向確認」の情報を作成する。受信が確認できなかった場合，「受信実績」と「双方向確認」は更新されず，また，受信したパケットのシーケンス番号が送信パケットに対する応答でない場合，「受信実績」は更新されるが，「双方向確認」は更新されない。ＩＰ電話会話中の場合，ＲＴＰの音声パケットの送受信によって，通信管理テーブルに「送信実績」と「受信実績」は更新されるが，通信プロトコル上，双方向の確認はできないため，「双方向確認」は更新されない。ＩＰ電話会話終了時には，ＳＩＰプロトコル上のｂｙｅ信号等のＴＣＰ通信が発生し，その通信実績に従い，「送信実績」，「受信実績」，「双方向確認」が更新される。
【００９６】
ＥＲ−２配下のＩＰ電話と通信が試験周期時間がない場合，ＥＲ−１からＥＲ−２への試験タイミング（１２時００分０１秒）になった時点で，試験回路部４３３はＥＲ−２の「送信実績」と「受信実績」のタイムスタンプ情報を確認し，「試験周期」の６０分以上前のタイムスタンプ情報（１１：００：０１）であることから，ＥＲ−０とＥＲ−２間の試験時間間隔での通信実績がなく（通信実績１１時００分０１秒），その間の通信の正常性は確認されていない。試験回路部４３３は通信実績無しとして試験通信を実施する（図１６の（４３））。この試験パケット（ＩＣＭＰエコー要求）に対して，ＩＣＭＰエコー応答を受信した場合，主信号中継網１の疎通が確認できたため，「送信実績」，「受信実績」，「双方向確認」は更新される。一方，ＩＣＭＰエコー応答が確認できない場合，「受信実績」，「双方向確認」は更新されない。
【００９７】
図１６の例では，ＥＲ−２の「送信実績；１２：００：０１」，「受信実績；１２：００：０１」の更新処理されたことを示す。次に，ＥＲ−３配下のＩＰ電話と現在は通信していなくとも，ＥＲ−３の試験タイミングになり，試験周期以内に通信実績（１１時４０分００秒）がある場合，正常性が確認できているため，「受信実績」と「双方向確認」を変更せず，また，試験も実施しない（図１６の（４４））。
【００９８】
ＥＲ−４の試験タイミングになった時点で，「管理状態」が工事中のため，「送信実績」と「受信実績」の内容によらず，試験は実施しない（図１６の（４５））。ＥＲ−ｎと通信がない場合，ＥＲ−ｎ側のＥＲ−０との試験タイミングになった時点で，ＥＲ−ｎ側より試験パケットが送られ，ＥＲ−０が試験応答パケットを返すことにより（図１６の（４６）），ＥＲ−０内通信管理テーブルのＥＲ−ｎとの「送信実績」と「受信実績」が更新される。
【００９９】
以上，全対向装置に対して確認をし，そして，一定期間以上正常な通信が行われていない装置に対する疎通確認の試験通信を実施することにより，主信号網の正常性確認を定常的に実施する。
【０１００】
図１７はＩＰ通信網において経路切替が発生した場合の動作説明図である。
【０１０１】
図１７において，経路管理サーバ３Ｃが各種装置からアラームやトラップ，ＭＩＢ（Management  Information  Base）等の情報を得て，主信号中継網１の経路切替を認識すると，設備管理サーバ３Ａに対して切替対象の装置情報の通知を行う。
【０１０２】
設備管理サーバ３Ａでは，受信した切替対象装置の情報から収容エリアやつながり情報を元に，新経路に接続されている装置の抽出を行う。経路切替直後は，経路が安定していないこと，ルーティング情報の送受で主信号中継網１の通信量が一時的に増えるため，試験停止を各ＥＲ４３に指示する。一方，設備管理サーバ３Ａは，保守網２のトラヒックを抑えるため，経路が安定するまでの時間を予測し，その時間をＥＲ４３に通知する。その通知された時間後，ＥＲ４３は試験を実施し，切替以前の通信実績を破棄する。
【０１０３】
図１７において，大阪で経路切替が発生し，その影響で遅れて兵庫も経路変更されたとオペレータが認識した場合，兵庫と大阪に収容されているＥＲ４３に対して，経路切替直後の試験非実施と経路安定後の試験実施を通知する例を示している。
【０１０４】
ＥＲ−０からＥＲ−１に対する試験タイミング（１４時００分００秒）になった時点で「送信実績」と「受信実績」は２０分前の１３時４０分００秒であり，通常の場合（後述する場合以外），試験を実施しない。しかし，ＥＲ−０の「経路変更」項目に経路変更が登録され，１３時５５分００秒に経路に安定する見込みがあることを通知されているため，新経路の確認を行うための通信試験を実施する。その通信試験により試験確認が取れた後，ＥＲ−１の「経路変更」を無しの登録に更新する。
【０１０５】
一方，ＥＲ−０からＥＲ−２の「送信実績」と「受信実績」は１３時００分０１秒であることより，試験開始タイミング（１４時００分０１秒）になった時点で６０分以上前に該当するが，「経路変更」に経路切替が登録されており，その経路安定予測時刻が１４時０５分００秒であることから１４時００分０１秒の時点では試験通信は実施されない。
【０１０６】
図１８は通信網の試験方式の更に他の実施例の構成の説明図である。図１８において，既存網に本通信網の試験方式を導入する場合の例を示しており，局舎９（例えば，ビルなど）内の複数の既存ＥＲ５０（Ａ，Ｂ，Ｃ）とＮＡＴ５１装置が設けられている既存設備に，外部アダプタ４４０を追加した場合の構成を示す。
【０１０７】
外部アダプタ４４０には，複数のポート４４（通信ポート１〜６，保守ポート７と８）と，通信モニタ判別部４３１と，通信管理部４３２と，試験回路部４３３と，保守情報送受信部４３４とを備えており，通信管理部４３２には，複数のＥＲ５０Ａ〜５０Ｃに対応した各通信管理テーブル４３２０（Ａ，Ｂ，Ｃ）が設けられている。各部（通信モニタ判別部４３１，通信管理部４３２，試験回路部４３３，保守情報送受信部４３４）の基本機能の説明は図４の説明と同内容であるので省くが，通信管理部４３２の通信管理テーブル４３２０（Ａ〜Ｃ）については，複数のＥＲ５０に対応したテーブルを有する点において異なっているため以下に説明する。
【０１０８】
外部アダプタ４４０は，保守網２からの指示を受け，内部に通信管理テーブル４３２０を持ち，試験回路部４３３で試験パケットの送受信を行う。本通信網の試験方式に関する保守網２との通信は，外部アダプタ４４０で終端し，既存ＥＲ５０に対する保守網２との通信は，外部アダプタ４４０のポート７及びポート８と，保守情報送受信部４３４をスルーして配下のＥＲ５０間とで通信を行わせる。
【０１０９】
外部アダプタ４４０は，保守網２に対して複数の保守ＩＰアドレスを見せることにより，複数のＥＲ５０を１台の外部アダプタ４４０にて対応することができる。例えば，局舎９に１台の外部アダプタ４４０を既存のＥＲ５０とＮＡＴ５１の装置間に追加し，ポート８で，ＥＲ５０ＡのＩＰアドレス（例えば，ｆｄ００．１．１．１とし，ｆｄ００は整数），ＥＲ５０ＢのＩＰアドレス（ｆｄ００．１．２．１），ＥＲ５０ＣのＩＰアドレス（ｆｄ００．１．３．１）を見せる。これらのＩＰアドレスに保守網２から信号を受けた外部アダプタ４４０は，既存の保守情報であればスルーし，ＥＲ５０（Ａ，Ｂ，Ｃ）の各保守ポートのＩＰアドレス宛先へ信号を送出する。
【０１１０】
一方，本通信網の試験方式に係る保守情報の場合，保守情報送受信部４３４で，その保守情報を受けて各機能部へその内容に従い，通知を行う。
【０１１１】
以上により，既存ＥＲに外部アダプタ４４０を追加することで，複数の既存ＥＲが１台のアダプタで本通信方式の保守信号と終端できるため，ＥＲに大きな変更を加えることなく，また，機器の追加コストを削減できる。
【０１１２】
（付記１）  網に接続した通信装置を多数収容した音声やパケット等の主信号を中継する主信号中継網と該主信号中継網を保守するための保守網とを備えた通信網の試験方式において，前記保守網に前記主信号中継網に収容された全通信装置のアドレスを含む装置情報を格納した設備管理サーバを設け，前記設備管理サーバは前記装置情報を全ての前記通信装置に通知し，前記各通信装置は，それぞれ複数のＩＰ電話装置が接続され，前記管理サーバから通知された装置情報に基づいた各対向装置の情報と各対向装置との前記ＩＰ電話装置による通信実績情報を格納するための対向装置通信管理テーブルを備え，該通信装置において実行される通信をモニタして，対向装置別の通信実績として格納し，前記各通信装置に設けた試験回路は，前記対向装置通信管理テーブルの対向装置別の通信実績を判別して自律的に試験対象となる対向装置を選択して試験を行うことを特徴とする通信網の試験方式。
【０１１３】
（付記２）  付記１において，前記通信装置は，入出力パケットのアドレスから対向装置単位，プロトコル単位に通信実績を確認して送信実績，受信実績及び双方向通信の確認が可能なプロトコルについては双方向確認の情報を前記対向装置通信管理テーブルに登録することを特徴とする通信網の試験方式。
【０１１４】
（付記３）  付記１において，前記保守網に前記主信号中継網に収容された全通信装置による試験を管理する試験管理サーバを設け，前記試験管理サーバは，各通信端末による自律試験の試験開始時間，試験開始／停止の指示，試験モード，試験周期，試験結果の通知先であるサーバのアドレス等を含む情報を各通信端末に通知し，各通信端末は前記試験管理サーバからの通知を格納する試験情報テーブルを備え，前記試験回路は前記試験情報テーブルによる試験を実行することを特徴とする通信網の試験方式。
【０１１５】
（付記４）  付記１において，
前記対向装置通信管理テーブルは，各対向装置別に送信実績，受信実績等のそれぞれの時間情報を格納する領域を備え，前記各通信装置の試験回路は，前記対向装置通信管理テーブルを一定周期で読み出して，一定期間内に通信がない対向装置を選択して試験通信を行うことを特徴とする通信網の試験方式。
【０１１６】
（付記５）  付記１において，前記保守網に主信号網を構成する中継装置や，収容する端末装置からの障害情報や管理情報を収集する経路管理サーバを設け，前記経路管理サーバは，前記障害情報や管理情報を収集して，中継網の経路変更を検出すると，経路変更による範囲を特定して全通信端末に対して経路変更の情報を通知し，各通信端末の前記対向装置通信管理テーブルに経路変更を表す情報を設け，前記経路管理サーバからの前記通知を受け取ると該当する対向装置について経路変更の状態を設定し，前記試験回路は経路変更の状態の対向装置について試験を行わないことを特徴とする通信網の試験方式。
【０１１７】
（付記６）  付記３において，各通信端末の前記対向装置通信管理テーブルに，前記設備管理サーバからの通知により設定される対向通信装置が運用中，障害，工事中であることを表す管理状態の情報を格納する領域を設け，各通信端末の試験回路は，前記各対向通信装置の管理状態を参照して障害または工事中であると試験を実行しないことを特徴とする通信網の試験方式。
【０１１８】
（付記７）  複数のＮＡＴと各ＮＡＴに対応した複数の通信装置とが管理テーブルアダプタを介して相互に接続されて音声やパケット等の主信号を中継する主信号中継網と該管理テーブルアダプタに接続された保守網とを備えた通信網の試験方式において，前記保守網に前記主信号中継網に収容された全通信装置のアドレスを含む装置情報を格納した設備管理サーバを設け，前記設備管理サーバは前記装置情報を全ての前記通信装置に通知し，前記通信装置はそれぞれ複数のＩＰ電話装置が接続され，前記管理テーブルアダプタは，前記設備管理サーバから通知された装置情報に基づいた各対向装置の情報と各対向装置との前記ＩＰ電話装置による通信実績情報を格納するための各通信装置に対応した対向装置通信管理テーブルを備え，前記各通信装置に設けた試験回路は，前記対向装置通信管理テーブルの対向装置別の通信実績を判別して自律的に試験対象となる対向装置を選択して試験を行うことを特徴とする通信網の試験方式。
【図面の簡単な説明】
【０１１９】
【図１】本発明に係る通信網の試験方式の基本構成を示す概要構成図である。
【図２】通信網の試験方式の実施例のシステム構成を示す図である。
【図３】通信網の試験方式の実施例の内部構成を示す図である。
【図４】図３に示す構成における具体的な動作例の説明図である。
【図５】通信管理テーブルの登録内容の詳細の説明図である。
【図６】試験管理テーブルの登録内容の詳細の説明図である。
【図７】ＩＣＭＰ通信管理部の処理フローを示す図である。
【図８】通信管理部の通信実績の処理フローを示す図である。
【図９】設備管理サーバと経路管理サーバの処理フローを示す図である。
【図１０】経路切替障害情報の通知を受けた場合のエッジルータの処理フローを示す図である。
【図１１】通信管理部における通信履歴確認の処理フローを示す図である。
【図１２】通信管理テーブルの順次確認の処理フローを示す図である。
【図１３】試験回路部の処理フローを示す図である。
【図１４】新規のエッジルータの登録設定動作の説明図である。
【図１５】工事中の状態のエッジルータの通信管理テーブル更新の動作説明図である。
【図１６】運用状態での通信管理テーブルの通信実績の更新動作の説明図である。
【図１７】ＩＰ通信網において経路切替が発生した場合の動作説明図である。
【図１８】通信網の試験方式の更に他の実施例の構成の説明図である。
【図１９】背景となる大規模ＩＰ通信網における保守試験の構成を示す図である。
【符号の説明】
【０１２０】
１          主信号中継網
２          保守網
３          設備管理サーバ
３０        設備情報データベース
４Ａ〜４Ｃ      通信装置
４０Ａ〜４０Ｃ  ＮＡＴ
４１Ａ〜４１Ｃ  対向装置通信管理テーブル
４２Ａ〜４２Ｃ  試験回路
５Ａ〜５Ｉ      ＩＰ電話
【図１】
2009206845.tif 000003
【図２】
2009206845.tif 000004
【図３】
2009206845.tif 000005
【図４】
2009206845.tif 000006
【図５】
2009206845.tif 000007
【図６】
2009206845.tif 000008
【図７】
2009206845.tif 000009
【図８】
2009206845.tif 000010
【図９】
2009206845.tif 000011
【図１０】
2009206845.tif 000012
【図１１】
2009206845.tif 000013
【図１２】
2009206845.tif 000014
【図１３】
2009206845.tif 000015
【図１４】
2009206845.tif 000016
【図１５】
2009206845.tif 000017
【図１６】
2009206845.tif 000018
【図１７】
2009206845.tif 000019
【図１８】
2009206845.tif 000020
【図１９】
2009206845.tif 000021